(57)【要約】【課題】  簡易な構造と手段でフード部内に衣類本体を収納し、できるだけ部材を増やすことなくその状態を保持できるフード部を有する衣類を提供する。【解決手段】  フード部後頭部の身長方向の中央部から下部に延在するように第一の係止部材９を設け、第一の係止部材の下部に、第一の係止部材の身長方向の任意の箇所に係止可能な第二の係止部材１０を設け、フード部前頭部の庇部裏面５にループ部材７を設ける。人体の頭部にフード部を着用している状態で、第二の係止部材を第一の係止部材の身長方向の任意の箇所に係止することで、庇部の高さが調整可能である。また、衣類本体を折りたたんでフード部内に収納し、第二の係止部材をループ部に通過させて、第一の係止部材に係止することで、フード部に衣類本体を収納した状態に保持できる。【選択図】  図４
0003209635.tif 000002
【実用新案登録請求の範囲】
【請求項１】
フード部を有する衣類において、フード部後頭部の身長方向の中央部から下部に延在するように第一の係止部材を設け、第一の係止部材の下部に、第一の係止部材の身長方向の任意の箇所に係止可能な第二の係止部材を設け、フード部前頭部の庇部裏面にループ部材を設けたことを特徴とするフード部を有する衣類。
【請求項２】
人体の頭部にフード部を着用している状態で、第二の係止部材を第一の係止部材の身長方向の任意の箇所に係止することで、庇部の高さが調整可能である請求項１に記載のフード部を有する衣類。
【請求項３】
フード部は、衣類本体を折りたたむことにより、内部に収納可能な大きさを有する請求項１または請求項２に記載のフード部を有する衣類。
【請求項４】
ループ部材は、第二の係止部材が通過可能なサイズであることを特徴とする請求項１乃至請求項３に記載のフードを有する衣類。
【請求項５】
衣類本体を折りたたんで、フード部内に収納し、第二の係止部材をループ部に通過させて、第一の係止部材に係止することで、フード部に衣類本体を収納した状態に保持可能な請求項１乃至請求項４に記載のフード部を有する衣類。
【請求項６】
第一の係止部材と、第二の係止部材は、一対の面ファスナーであることを特徴とした請求項１乃至請求項５に記載のフード部を有する衣類。
【考案の詳細な説明】
【技術分野】
【０００１】
本考案は、フード部を有する衣類に関するものであり、特に簡易な構造と手段でフード部内に衣類本体を収納し、できるだけ部材を増やすことなくその状態を保持できることを提案するものである。
【背景技術】
【０００２】
従来より、持ち運びを手軽に、更には荷物として嵩張らない様に、衣類をコンパクトな状態に手軽に折りたたんで鞄、ポケット等に収納する事については課題であった。そして、特にフード部等の頭部を覆うパーツを有する衣類をコンパクトな状態にたたむ手段としては、従来より多くの検討が行われている。例えば、フード部の内側に、裏地としての身頃部を収納できる袋体を設け、縫い目が外に出ないことにより水が浸入せず、さらには身頃部に余分な裏地を設けていないので、通気性を阻害することを防ぐポケッタブルのレインウェアについての開示がある。（特許文献１）。又、外見からは雨具が収納されていることが見えないように形成された、簡易雨着付き帽子についても開示がある。（ 特許文献２）。
【先行技術文献】
【特許文献】
【０００３】
【特許文献１】特許３０６４８８５号公報
【特許文献２】特開平１１−１２８４０号公報
【０００４】
しかし、前記特許文献1に記載されたレインウェアでは、身頃部収納の為に裏地としての袋体を別途儲け、さらに収納目的のためだけに袋体の入り口に面ファスナーを設ける必要があり、コンパクトにたたむには出来るだけ袋体の形状に合わせて丁寧にたたむ必要がある等の問題点があった。また、特許文献２に記載された帽子では、帽子の内側頂上部に雨着を保持するために、縁部材、面ファスナー等の部材を設ける必要があり、使用後に収納する場合も、雨着を帽子の頭頂部と縁部材の形状に沿うようにできるだけコンパクトにたたみ、縁部材を面ファスナーで固定する必要がある等の問題点があった。
【考案の概要】
【考案が解決しようとする課題】
【０００５】
本考案は、前記従来の問題を解決するため、簡易な構造と手段でフード部内に衣類本体を収納し、できるだけ部材を増やすことなくその状態を保持できるフード部を有する衣類に関するものである。
【課題を解決するための手段】
【０００６】
以上の課題を解決する為に、請求項１の考案は、フード部を有する衣類において、フード部後頭部の身長方向の中央部から下部に延在するように第一の係止部材を設け、第一の係止部材の下部に、第一の係止部材の身長方向の任意の箇所に係止可能な第二の係止部材を設け、フード部前頭部の庇部裏面にループ部材を設けたことを特徴とするフード部を有する衣類とした。
【０００７】
また、請求項２の考案は、人体の頭部にフード部を着用している状態で、第二の係止部材を第一の係止部材の身長方向の任意の箇所に係止することで、庇部の高さが調整可能であるフード部を有する衣類とした。
【０００８】
さらに、請求項３の考案は、フード部は、衣類本体を折りたたむことにより、内部に収納可能な大きさを有するフード部を有する衣類とした。
【０００９】
次に、請求項４の考案は、ループ部材は、第二の係止部材が通過可能なサイズであることを特徴とするフード部を有する衣類とした。
【００１０】
次に、請求項５の考案として、衣類本体を折りたたんで、フード部に収納し、第二の係止部材にループ部を通過させて、第一の係止部材に係止することで、フード部に衣類本体を収納した状態に保持可能なフード部を有する衣類とした。
【００１１】
最後に、請求項６の考案として、第一の係止部材と、第二の係止部材は、一対の面ファスナーであることを特徴としたフード部を有する衣類とした。
【考案の効果】
【００１２】
本考案にかかる衣類は、上記の構成とすることにより、できるだけ部材を増やすことなく、手軽に衣類本体のフード部内にコンパクトに収納し、簡易な手段でその状態を保持できる、フード部を有する衣類である。
【図面の簡単な説明】
【００１３】
【図１】図１は、本考案における１つの実施の形態におけるフード部を有する衣類１の全体図である。
【図２】図２は、図１におけるフード部前頭部庇部裏面５を示した拡大図である。
【図３】図３は、図１におけるフード部後頭部８を示した図である。
【図４】図４は、図１における衣類本体３を巻き上げてフード部２内に収納して係止する一連の手順を示した図である。図４（ａ）は、衣類本体３を裾から巻き上げている状態を示した図である。図４（ｂ）は、巻き上げた衣類本体３をフード部２内に収納しようとしている状態を示した図である。図４（ｃ）は、図２におけるフード部前頭部庇部裏面５に設けられたループ部材７の内側から外側に、第２の係止部材１０を通過させて、第一の係止部材９の任意の位置にて係止しようとしている状態を示した図である。図４（ｄ）は、上記（ａ）から（ｃ）の手順を経て、フード部２内に衣類本体３を収納した状態を示す図である。
【考案を実施するための形態】
【００１４】
本考案にかかる衣類は、簡易な構造と手段でフード部内に衣類本体を収納し、できるだけ部材を増やすことなくその状態を保持できるフード部を有する衣類に関するものである。
【００１５】
以下、本考案の実施の形態について、図面を用いて説明する。
【００１６】
図１は、本考案における１つの実施の形態におけるフード部を有する衣類１の全体図である。
図２は、図１におけるフード部前頭部庇部裏面５を示した拡大図である。
図３は、図１におけるフード部後頭部８を示した図である。
図４は、図１における衣類本体３を巻き上げてフード部２内に収納して係止する一連の手順を示した図である。
【００１７】
図１に示すように、フード部を有する衣類１は、フード部２、衣類本体３から構成される。
【００１８】
次に、図１に示された庇部４の裏面５の拡大図が図２であり、庇先端部６より身体方向へ内側、身幅方向の中央部にループ部材７が取り付けられている。
【００１９】
ループ部材７は、短冊状の部材でありループ孔を形成している。
【００２０】
ループ部材７のサイズとしては、長軸方向として７０ｍｍ〜１１０ｍｍ 程度、短軸方向としては３ｍｍ〜７ｍｍ程度の短冊形状が好ましい。
【００２１】
長軸方向が７０ｍｍ未満となると、ループ部材７が形成する孔に係止部材や指が通り難く、１１０ｍｍを超えると衣類本体３がフード部２内にコンパクトに収納されない等の問題が生じる。
【００２２】
短軸方向が３ｍｍ未満となると、ループ部材７の強度が低下し破断しやすくなり、７ｍｍを超えると部材として目立つので美観を損ない、嵩張りやすく、コストも高くなる等の問題が生じる。
【００２３】
ループ部材７が形成するループ孔のサイズとしては、内径３０ｍｍ〜７０ｍｍ程度が好ましく、目安として使用者のいずれかの指が２〜３本挿入可能であることが好ましい。
【００２４】
内径３０ｍｍ未満となると、ループ孔に係止部材や指が通り難く、７０ｍｍを超えると衣類本体３がフード部２内にコンパクトに収納されない等の問題が生じる。
【００２５】
次に、図３に示されたフード部後頭部８には、フード部後頭部８の身長方向の中央部から下部に延在するように第一の係止部材９を設け、第一の係止部材９の下部に、第一の係止部材９の身長方向の任意の箇所に係止可能な第二の係止部材１０が設けられている。
【００２６】
第一の係止部材９と第二の係止部材１０については、本来はフード部２における庇部４の高さを調整するために設けられており、人体の頭部にフード部２を着用している状態で、第二の係止部材１０を第一の係止部材９の身長方向の任意の箇所に係止することで、庇部４の高さを任意に調整することを可能としている。
【００２７】
第一の係止部材９については、身幅方向にはフード部後頭部８の中央部に、身長方向にはフード部後頭部８の中央部にから下部に延在するように設けられていることが好ましい。
【００２８】
フード部後頭部８の身長方向の上部、中央部、下部の長さに関しては、図３に図示するように身長方向に３等分される。
【００２９】
第一の係止部材９の身長方向のサイズとしては、６０ｍｍ〜１３０ｍｍ程度が好ましい。
【００３０】
第一の係止部材９の身長方向のサイズが、６０ｍｍ未満となると、衣類本体３をフード部２ 内に収納する際の大きさ（厚み）に調整幅が少なくなり、１３０ｍｍを超えると調整幅が大きすぎ、第一の係止部材９を使用しない部位が発生し、材料に無駄が生じると共にスムーズな係止ができなくなる。
【００３１】
第二の係止部材１０は、フード部２と衣類本体３の境界部と第一の係止部材９の身長方向の延長線が交差する付近に一端が固定されており、他端が第一の係止部材９の身長方向の任意の箇所と係止される。第二の係止部がフードの上部や中央部に配置された場合は、衣類本体３をフード部に収納するとフードの取り付け部から衣類本体３までの距離が短くなるように力が働くが、本考案の第二の係止部の配置ではそのような力は働かないから収納が楽に出来る。
【００３２】
第二の係止部材１０の身長方向のサイズとしては、６０ｍｍ〜１３０ｍｍ程度が好ましい。
【００３３】
第二の係止部材８の身長方向のサイズが、６０ｍｍ未満となると、図３におけるループ部材７を通過させて第一の係止部材９に係止する事が困難となり、１３０ｍｍを超えると衣類本体３をフード部２内に収納する際の大きさ（厚み）の調整幅が大きすぎ、第二の係止部材１０を使用しない部位が発生し、材料に無駄が生じると共にスムーズな係止ができなくなる。
【００３４】
また、第一の係止部材９ と第二の係止部材８の片面は一対の面ファスナーであることが好ましく、その場合の身幅方向のサイズとしては、８ｍｍ〜２０ｍｍ程度が好ましい。
【００３５】
第一の係止部材９と第二の係止部材１０が一対の面ファスナーであれば、部材として柔軟であり、衣類本体３ をフード部材２ 内に収納して係止した際に、部材が突出して収納の妨げになることがなく、収納する際の大きさ（厚み）の調整幅の調整も容易である。
【００３６】
また、第一の係止部材９ と第二の係止部材１０の身幅方向のサイズが８ｍｍ未満であれば、係止強度が足りずに、衣類本体３をフード部材２内に収納して係止した際に、完全に係止できないまたは使用途中に外れてしまう等の不具合があり、２０ｍｍを超えると、ループ部材７が形成するループ孔を通過させることが困難であり、必要以上の係止強度を有し、材料に無駄が生じると共にスムーズな係止ができなくなる。
【００３７】
次に、図４を用いて、図１における衣類本体３を巻き上げてフード部２内に収納し、第一の係止部材９と第二の係止部材１０にて係止する一連の手順を示す。
【００３８】
まず、図４（ａ）に示すように衣類本体３の腕部を含むその他の部位をフード部２内に納まるように、フード部２ の身幅方向のおおよそのサイズにたたみ、裾側からフード部２ 下部まで巻き上げる。
【００３９】
次に、図４（ｂ）に示すように、巻いた衣類本体３をフード部２内に入れ込む。
【００４０】
最後に、図４（ｃ）に示すように、第二の係止部材１０をループ部材７のループ孔を内側から外側に通過させ、さらに第一の係止部材９に係止する。
【００４１】
そうすると、図４（ｄ）に示すように、フード部２内に衣類本体３ が収納された状態となる。
【００４２】
又、図４（ｃ）において、第二の係止部材１０をループ部材７に通過させ、第一の係止部材９の身長方向への係止箇所を調整することで、図４（ｄ）におけるフード部２内に衣類本体３が収納された状態の大きさ（厚み）を調整することが可能となる。
【００４３】
したがって、上記の様に第二の係止部材１０を、第一の係止部材９の身長方向への係止箇所を調整することでさらに図４（ｄ）におけるフード部２内に衣類本体３が収納された状態の大きさ（厚み）をコンパクトにすることが可能となり、さらにはズボン・パンツ等の下衣も衣類本体３に重ねて上記と同様の手順とすれば、同時に収納可能な大きさに調整することも可能であり、加えて衣類以外のグッズ等の収納も可能である。
【産業上の利用可能性】
【００４４】
本考案のフード部を有する衣類は、一般の衣類としても有用であり、登山、トレッキング、ハイキング、スキー、スノーボード、スケート、ゴルフ、ジョギング、マラソン、テニスなどあらゆるスポーツシーンにおいてもその収納における利便性と持ち運びにおける簡便性において好適である。
【００４５】
又、本考案が適用可能なフード部を有する衣類としては、レインウェア、ウインドブレーカー、ジャケット、パーカー、スポーツコート、スポーツウェア等のフード付きのウェア全般が挙げられる。
【符号の説明】
【００４６】
１  フード部を有する衣類
２  フード部
３  衣類本体
４  庇部
５  庇部裏面
６  庇部先端部
７  ループ部材
８  フード部後頭部
９  第一の係止部材
１０  第二の係止部材
【図１】
0003209635.tif 000003
【図２】
0003209635.tif 000004
【図３】
0003209635.tif 000005
【図４】
0003209635.tif 000006